(57)【要約】      （修正有）【課題】ねじ回し作業がし易く、また体裁が良く、さらにリング部材が移動したりして音をたてず、目障りや耳障りになることのないドライバーを提供する。【解決手段】ハンドル部１の先端面にハンドル部の先端胴部径より小さい胴部径とした二段の円柱部を形成し、一段目の大径の円柱部にリング部材５を遊嵌し、二段目の小径の円柱部に押さえ部材７を固着したものとし、前記リング部材の内側面５ａをハンドル部の先端面に近接または緩く接触させると共に、リング部材の外径をハンドル部の先端胴部径と略同一とし、前記リング部材に鋏で切断可能とした繋ぎ片をハンドル部１から突出するようにして設け、この繋ぎ片に繋ぎ線条３を繋いだものとし、前記押さえ部材の外径をリング部材の外径と略同一とし、前記押さえ部材の押さえ面をリング部材の外側面に近接または緩く接触させたものとしている。【選択図】        図１
2004148409.tif 000002
【特許請求の範囲】
【請求項１】
ハンドル部（１）の先端面（１ａ）にハンドル部（１）の先端胴部径より小さい胴部径とした二段の円柱部（１ｂ、１ｃ）を形成し、一段目の大径の円柱部（１ｂ）にリング部材（５）を遊嵌し、二段目の小径の円柱部（１ｃ）に押さえ部材（７）を固着したものとし、前記リング部材（５）の内側面（５ａ）をハンドル部（１）の先端面（１ａ）に近接または緩く接触させると共に、リング部材（５）の外径をハンドル部（１）の先端胴部径と略同一とし、前記リング部材（５）に鋏で切断可能とした繋ぎ片（５ｂ）をハンドル部（１）から突出するようにして設け、この繋ぎ片（５ｂ）に繋ぎ線条（３）を繋いだものとし、前記押さえ部材（７）の外径をリング部材（５）の外径と略同一とし、前記押さえ部材（７）の押さえ面（７ａ）をリング部材（５）の外側面（５ｃ）に近接または緩く接触させたものとしたことを特徴とするドライバー。
【請求項２】
前記押さえ部材（７）の押さえ面（７ａ）を凹曲面としたことを特徴とする請求項１記載のドライバー。
【発明の詳細な説明】
【０００１】
【発明の属する技術分野】
この発明は、作業中に作業者の手から放れても、作業者の身体の何処かに繋ぎ止めておくことのできるドライバーに関するものである。
【０００２】
【従来の技術】
従来、ねじ回し具としてのドライバーは、各種の作業現場で使用されているが、特に高所の作業現場においては、ドライバーの落下による事故の危険性があるため、ドライバーのハンドル部に繋ぎ紐の一端を連結し、繋ぎ紐の他端を作業者の身体に何れかの部分、例えばズボンのベルトなどに繋ぐなどの安全対策を採ることがある。
【０００３】
このようにすることにより、高所での作業中に作業者がドライバーのハンドル部を掴み損なうなどして、ドライバーが作業者の手から放れても、ドライバーは繋ぎ紐によってズボンのベルトなどに繋がれているため、地上までは落下せず、他の作業者や通行人などに当たったり、ドライバーを失ってしまうようなことはない。
【０００４】
このようなドライバーとして、例えば図７、８に示したように、繋ぎ線条１１の一端に身体繋ぎ体１２を連結し、この繋ぎ線条１１の他端に連結したリング部材１３をハンドル部１４に回動自在に取り付けるようにしている。すなわち、このドライバーは、前記リング部材１３をハンドル部１４の先端近辺に設けた陥没部１５に遊嵌させたものとしている（特許文献１参照）。
【０００５】
また、前記ドライバーは、高所で作業しない場合には、ハンドル部１４からリング部材１３を外した状態にしたり、またはリング部材１３から繋ぎ線条１１を外して、このリング部材１３のみをハンドル部１４に残した状態にして、このドライバーを使用することができるようにしている。
【０００６】
【特許文献１】
特開２００１−２７７１４４号公報
【０００７】
【発明が解決しようとする課題】
上記した従来のドライバーを用いて、ねじ回し作業を行うと、繋ぎ線条１１がドライバーのハンドル部１４に巻き付くことがなく、ねじ回し作業の邪魔になることはないが、ハンドル部１４の先端近辺に設けた陥没部１５に、作業者の指が引っ掛かったり嵌まったりして、その作業がし難いことがあるという課題を有していた。また、従来のドライバーでは、前記陥没部１５が外観に現れるため、体裁が悪いという課題を有していた。
【０００８】
そして、上記した従来のドライバーでは、高所で作業しない場合には、ハンドル部１４からリング部材１３を外した状態にして使用することができるが、この場合も同様に作業者の指が引っ掛かったり嵌まったりして、ねじ回し作業がし難いことがあるという課題を有していた。また、このようにリング部材１３を外した状態にすると、前記陥没部１５がより一層、外観に現れるため、さらに体裁が悪いという課題を有していた。
【０００９】
さらに、従来のドライバーでは、高所で作業しない場合には、リング部材１３から繋ぎ線条１１を外して、このリング部材１３のみをハンドル部１４に残した状態にしても使用することができるが、このようにするとねじ回し作業中に、前記陥没部１５内でリング部材１３が移動したりして音をたてるので、目障りや耳障りであるという課題を有していた。
【００１０】
そこで、この発明は、上記従来の課題を解決するものであり、ねじ回し作業がし易く、また高所で作業するしないにかかわらず体裁が良く、さらにリング部材が移動したりして音をたてないので、目障りや耳障りになることのないドライバーを提供することを目的としてなされたものである。
【００１１】
【課題を解決するための手段】
そのため、この発明のドライバーは、ハンドル部１の先端面１ａにハンドル部１の先端胴部径より小さい胴部径とした二段の円柱部１ｂ、１ｃを形成し、一段目の大径の円柱部１ｂにリング部材５を遊嵌し、二段目の小径の円柱部１ｃに押さえ部材７を固着したものとし、前記リング部材５の内側面５ａをハンドル部１の先端面１ａに近接または緩く接触させると共に、リング部材５の外径をハンドル部１の先端胴部径と略同一とし、前記リング部材５に鋏で切断可能とした繋ぎ片５ｂをハンドル部１から突出するようにして設け、この繋ぎ片５ｂに繋ぎ線条３を繋いだものとし、前記押さえ部材７の外径をリング部材５の外径と略同一とし、前記押さえ部材７の押さえ面７ａをリング部材５の外側面５ｃに近接または緩く接触させたものとしている。
【００１２】
そして、この発明のドライバーでは、前記押さえ部材７の押さえ面７ａを凹曲面とすることができる。
【００１３】
【発明の実施の形態】
以下、この発明のドライバーの実施の形態を、図面に基づいて詳細に説明する。
【００１４】
図１〜３に示したように、この発明のドライバーは、ハンドル部１の先端側に軸部２を設けたものとしており、そのハンドル部１の先端部に繋ぎ線条３を繋いだものとしている。この繋ぎ線条３は、一端に身体繋ぎ体４を連結し、他端にリング部材５を連結したものとしており、このリング部材５をハンドル部１の先端部に回動自在に取り付けるようにしている。なお、前記繋ぎ線条３の他端にリング部材５を連結するには、図に示したものではナス環６を介在させたものとすることにより、繋ぎ線条３とリング部材５との連結を取り外せるようにしている。
【００１５】
前記ハンドル部１は、合成樹脂や木材などからなるものとしており、先端面１ａにそのハンドル部１の先端胴部径より小さい胴部径とした二段の円柱部１ｂ、１ｃを形成し、一段目の大径の円柱部１ｂに前記リング部材５を遊嵌し、二段目の小径の円柱部１ｃに押さえ部材７を固着したものとしている。
【００１６】
前記軸部２は、図に示したものでは先端にプラス刃を設けたものとしているが、マイナス刃やソケットなどを設けたものとすることもできる。
【００１７】
前記繋ぎ線条３は、図に示したようにビニール紐をコイル状に巻いて伸縮自在としたものや、綿ロープ、麻ロープ、ワイヤロープなどとすることができるが、作業者の身体とドライバーを繋ぐものであれば、特に限定されることはない。
【００１８】
前記身体繋ぎ体４は、図に示したものではナス環としているが、フック体やその他の部材として、作業者の身体の何れかの部分、例えばズボンのベルトなどに繋ぎ易くしたものとするのが好ましい。
【００１９】
前記リング部材５は、合成樹脂などからなるものとしており、内側面５ａをハンドル部１の先端面１ａに近接または緩く接触させると共に、外径をハンドル部１の先端胴部径と略同一径とし、ハンドル部１の表面と略面一となるようにし、内径を円柱部１ａの胴部径より少し大きくしている。さらに、このリング部材５には、鋏で切断可能とした繋ぎ片５ｂをハンドル部１から突出するようにして設けており、この繋ぎ片５ｂに形成した通孔８に前記繋ぎ線条３のナス環６を取り付けるようにしている。
【００２０】
前記押さえ部材７は、合成樹脂や木材などからなるものとしており、外径をリング部材５の外径と略同一径とし、リング部材５の外径側面と略面一となるようにし、内径を円柱部１ｃの胴部径と略同一径とし、押さえ面７ａをリング部材５の外側面５ｃに近接または緩く接触させて、この円柱部１ｂに嵌め込んだり、接着剤を用いて接着させることにより、固着したものとしている。なお、前記押さえ部材７の押さえ面７ａは、図２、３に示したものでは平面としているが、図４、５に示したように凹曲面とすれば、この押さえ面７ａをリング部材５に緩く接触させた場合にも、押さえ面７ａとリング部材５は線接触となって摩擦抵抗が少なく、リング部材５の回転が損なわれるようなことはない。
【００２１】
以上に述べたように構成したこの発明のドライバーは、次のようにして使用される。
【００２２】
先ず、この発明のドライバーは、繋ぎ線条３の一端に連結した身体繋ぎ体４を作業者の身体に何れかの部分、例えばズボンのベルトなどに繋ぐ。このようにすれば、高所でのねじ回し作業中に作業者がハンドル部１を掴み損なうなどして、ドライバーが作業者の手から放れても、ドライバーは繋ぎ線条３によってズボンのベルトなどに繋がれているため、地上までは落下せず、他の作業者や通行人などに当たったり、ドライバーを失ってしまうようなことはない。
【００２３】
そして、この発明のドライバーは、ねじ回し作業中に回転させた場合には、空回りしてリング部材５が回転しないので、繋ぎ線条３がハンドル部１に巻き付くことがなくねじ回し作業にまったく影響を与えることなく、使用し易いものとなる。
【００２４】
また、高所で作業しない場合には、繋ぎ線条３をドライバーから外し、ハンドル部１から突出するようにして設けていた繋ぎ片５ａを、図６に示したように、ハンドル部１の表面と略面一となるようにして鋏で切断すれば、この繋ぎ片５ａに作業者の指が引っ掛かったりして、ねじ回し作業の邪魔になることはなく、またこの繋ぎ片５ａが存在しなくなってしまうので、体裁が悪くなるようなこともない。
【００２５】
【発明の効果】
この発明のドライバーは、以上に述べたように構成されているので、ねじ回し作業がし易く、また高所で作業するしないにかかわらず体裁が良く、さらにリング部材が移動したりして音をたてないので、目障りや耳障りになることがなく、さらにねじ回し作業を行っても、ドライバーのハンドル部に巻き付くことがなく、ねじ回し作業にまったく影響を与えることなく、使用し易いものとなった。
【図面の簡単な説明】
【図１】この発明のドライバーの全体斜視図である。
【図２】この発明のドライバーの一実施形態を示すハンドル部の分解図である。
【図３】図２に示すこの発明のドライバーのハンドル部の先端部の断面図である。
【図４】この発明のドライバーの他の実施形態を示すハンドル部の分解図である。
【図５】図４に示すこの発明のドライバーのハンドル部の先端部の断面図である。
【図６】この発明のドライバーのリング部材に設けた繋ぎ片を鋏で切断する状態を示す説明図である。
【図７】従来のドライバーの一例を示す全体斜視図である。
【図８】図７に示す従来のドライバーのハンドル部の側面図である。
【符号の説明】
１  ハンドル部
１ａ  先端面
１ｂ  円柱部
１ｃ  円柱部
３  繋ぎ線条
５  リング部材
５ａ  内側面
５ｂ  繋ぎ片
５ｃ  外側面
７  押さえ部材
７ａ  押さえ面
【図１】
2004148409.tif 000003
【図２】
2004148409.tif 000004
【図３】
2004148409.tif 000005
【図４】
2004148409.tif 000006
【図５】
2004148409.tif 000007
【図６】
2004148409.tif 000008
【図７】
2004148409.tif 000009
【図８】
2004148409.tif 000010